(57)【特許請求の範囲】
【請求項１】
コンタクトレンズを保管するコンタクトレンズ用ケースであって、
上方に向かって開口するケース本体と、前記ケース本体の開口を開閉可能に覆って設けられる蓋部と、前記ケース本体の内部に光を照射する照射部と、を備え、
前記ケース本体は、前記コンタクトレンズを収容する収容空間が設けられた収容部を有し、
前記収容部は、前記収容空間の底面を構成する載置部を有し、
前記蓋部は、前記収容空間に収容された前記コンタクトレンズを、外部から視認可能とする窓部を有し、
前記窓部は、前記載置部の直上に設けられ、
前記照射部は、前記収容空間に向かって紫外線を発するブラックライトであり、前記載置部の直下に設けられ、
前記載置部は、透光性を有する、コンタクトレンズ用ケース。
【請求項２】
前記ケース本体は、前記載置部が載置される基台部を有し、
前記基台部は、前記照射部の周囲を囲って設けられ、
前記載置部は、前記照射部の上方を覆って設けられる、請求項１に記載のコンタクトレンズ用ケース。
【請求項３】
前記ケース本体は、前記収容空間を開閉可能に覆って設けられるキャップ部を有し、
前記キャップ部は、透光性を有している、請求項１又は２に記載のコンタクトレンズ用ケース。
【請求項４】
前記ケース本体は、その内部に、前記収容部を着脱可能に固定する着脱手段を有する、請求項１〜３の何れかに記載のコンタクトレンズ用ケース。
【請求項５】
前記着脱手段は、弾性素材により形成された複数の着脱手段構成体により構成され、
前記複数の着脱手段構成体には、上方に延びる第一構成部と、前記第一構成部に連接され、前記載置部の上面に当接する第二構成部と、が設けられている、請求項４に記載のコンタクトレンズ用ケース。
【請求項６】
前記窓部には、拡大レンズが設けられている、請求項１〜５の何れかに記載のコンタクトレンズ用ケース。
【請求項７】
前記コンタクトレンズの使用期限を表示するタイマー部を備える、請求項１〜６の何れかに記載のコンタクトレンズ用ケース。
【請求項８】
前記窓部及び前記収容部は、それぞれ一対設けられている、請求項１〜７の何れかに記載のコンタクトレンズ用ケース。
【請求項９】
前記蓋部は、人又は動物の顔を模した外観に構成され、
前記一対の窓部は、それぞれ前記顔の目に相当する位置に設けられている、請求項８に記載のコンタクトレンズ用ケース。
【発明の詳細な説明】
【技術分野】
【０００１】
本発明は、コンタクトレンズを保管しておくケースに関するものである。
【背景技術】
【０００２】
従来から、視力矯正目的や、虹彩部分の外観上の色味を変えるファッション目的等、着用者の用途に合わせて、種々のコンタクトレンズが多用されてきた。
【０００３】
コンタクトレンズは、その素材の違いにより、ハードコンタクトレンズとソフトコンタクトレンズに大別され、特に、ハードコンタクトレンズについては、長期間に亘って繰り返し使用するため、専用の洗浄液や保管しておくケースが必要となる。
また、ソフトコンタクトレンズについても、２週間や１か月等の期間に亘って繰り返し使用するものがあり、これらも、専用の洗浄液や保管しておくケースが必要となる。
【０００４】
上記のような、繰り返し使用するコンタクトレンズを保管しておくケースとして、例えば、特許文献１には、コンタクトレンズを保管しつつ、装着面の洗浄を、簡単な構成で且つコンタクトレンズを傷つけることなく手軽に行えるようにした、コンタクトレンズ用ケースが記載されている。
【０００５】
このコンタクトレンズ用ケースは、レンズ収容部の底部を、キャップ方向に隆起する凸状に形成すると共に、底部の表面に凹凸が形成された構成となされている。
これにより、コンタクトレンズの装着面をレンズ収容部の底部にセットすると、装着面と凹凸とが接触し、指でコンタクトレンズの表面側を軽く押さえ付けた状態で、前後方向又は左右方向に移動、あるいは回転させることで、装着面の洗浄が可能となる。
【先行技術文献】
【特許文献】
【０００６】
【特許文献１】特開２０１２−２１２０６３号公報
【発明の概要】
【発明が解決しようとする課題】
【０００７】
しかしながら、特許文献１に記載のコンタクトレンズ用ケースは、洗浄が容易に行えるものの、元々どの程度汚れていたのか、また、これに伴いどの程度の洗浄が必要となるのか、洗浄後どの程度汚れが落ちているのか、といった、表面の汚れの状態を認識することができない。
【０００８】
そして、上記のように、洗浄したとしても汚れの程度が判然としないことを起因として、コンタクトレンズの着用者は、洗浄する行為自体が億劫になり、ひいては、着用することも憚られる、という問題があった。
【０００９】
本発明は上記のような実状に鑑みてなされたものであり、コンタクトレンズに付着した汚れを容易に視認することができ、利便性を向上させたコンタクトレンズ用ケースを提供することを課題とする。
【課題を解決するための手段】
【００１０】
上記課題を解決するために、本発明は、コンタクトレンズを保管するコンタクトレンズ用ケースであって、
上方に向かって開口するケース本体と、前記ケース本体の開口を開閉可能に覆って設けられる蓋部と、前記ケース本体の内部に光を照射する照射部と、を備え、
前記ケース本体は、前記コンタクトレンズを収容する収容空間が設けられた収容部を有し、
前記蓋部は、前記収容空間に収容された前記コンタクトレンズを、外部から視認可能とする窓部を有し、
前記照射部は、前記収容空間に向かって紫外線を発するブラックライトである。
【００１１】
本発明によれば、照射部が収容空間に向かって紫外線を発するブラックライトであることにより、コンタクトレンズに付着した、通常肉眼では視認できない汚れを可視化することができ、汚れの程度を容易に視認することが可能となる。
【００１２】
これにより、使用者は、コンタクトレンズを洗浄した後、本コンタクトレンズ用ケースにより、表面が納得のいく程度まできれいになったか否かを迅速に確認することができるため、ストレスなく、安心してコンタクトレンズを着用することが可能となる。
【００１３】
本発明の好ましい形態では、前記収容部は、前記収容空間の底面を構成する載置部を有し、前記載置部は、透光性を有し、前記照射部は、前記載置部の下方に設けられている。
【００１４】
このような構成とすることで、簡素な構成で、コンタクトレンズ全体に漏れなく紫外線を照射することが可能となる。
【００１５】
本発明の好ましい形態では、前記ケース本体は、前記収容空間を開閉可能に覆って設けられるキャップ部を有し、前記キャップ部は、透光性を有している。
【００１６】
このような構成とすることで、コンタクトレンズやその保存液が、収容空間内部から外部に飛び出してしまうことを防止しつつ、付着した汚れを視認することが可能となる。
【００１７】
本発明の好ましい形態では、前記ケース本体は、その内部に、前記収容部を着脱可能に固定する着脱手段を有する。
【００１８】
このような構成とすることで、本コンタクトレンズ用ケースを持ち運ぶ際等に、収容部の位置がずれることがなく、特段収容部の位置を調整せずとも、迅速に付着した汚れを視認することが可能となる。
【００１９】
本発明の好ましい形態では、前記窓部には、拡大レンズが設けられている。
【００２０】
このような構成とすることで、付着した汚れをより明確に視認することが可能となる。
【００２１】
本発明の好ましい形態では、前記コンタクトレンズの使用期限を表示するタイマー部を備える。
【００２２】
このような構成とすることで、コンタクトレンズを交換するタイミングを一目で把握することが可能となる。
【００２３】
本発明の好ましい形態では、前記窓部及び前記収容部は、それぞれ一対設けられている。
【００２４】
このような構成とすることで、左右のコンタクトレンズを同時に保管しておくことが可能となる。
【００２５】
本発明の好ましい形態では、前記蓋部は、人又は動物の顔を模した外観に構成され、前記一対の窓部は、それぞれ前記顔の目に相当する位置に設けられている。
【００２６】
このような構成とすることで、機能面だけでなく、その見た目を契機として、需要者に購買意欲を喚起させることが可能となる。
【発明の効果】
【００２７】
本発明によれば、コンタクトレンズに付着した汚れを容易に視認することができ、利便性を向上させたコンタクトレンズ用ケースを提供することができる。
【図面の簡単な説明】
【００２８】
【図１】本発明の実施形態に係るコンタクトレンズ用ケースの概略斜視図である。
【図２】本発明の実施形態に係るコンタクトレンズ用ケースを示す図であって、（ａ）正面図、（ｂ）背面図である。
【図３】本発明の実施形態に係るコンタクトレンズ用ケースにおける、ケース本体を開状態とした際の概略斜視図である。
【図４】本発明の実施形態に係るコンタクトレンズ用ケースにおける、図３の拡大分解斜視図である。
【図５】本発明の実施形態に係るコンタクトレンズ用ケースを示す図であって、（ａ）ＰＰ´線断面図、（ｂ）ＱＱ´線断面図である。
【発明を実施するための形態】
【００２９】
以下、図面を用いて、本発明の実施形態に係るコンタクトレンズ用ケースについて説明する。
なお、以下に示す実施形態は本発明の一例であり、本発明を以下の実施形態に限定するものではない。また、これらの図において、符号Ｘは、本実施形態に係るコンタクトレンズ用ケースを示す。
【００３０】
以下、図１及び図２を用いて、コンタクトレンズ用ケースＸの外部構成等について詳述する。
【００３１】
図１及び図２に示すように、コンタクトレンズ用ケースＸは、上方に向かって開口し、略お椀状に概略構成されたケース本体１と、ケース本体１の開口を開閉可能に覆って設けられ、略お椀状に概略構成された蓋部２と、ケース本体１の内部に光を照射する照射部３（図３等参照）と、コンタクトレンズＬ（図３等参照）の使用期限を表示するタイマー部４と、を備えている。
【００３２】
ケース本体１には、特に図２（ｂ）に示されるように、側方に突設された一対の耳部１ａと、コンタクトレンズ用ケースＸを所定の面に安定的に載置するための支持部１ｂと、照射部３の照射状態のＯＮ／ＯＦＦを制御するための照射ボタン１ｃと、バッテリーＢ（図５（ｂ）参照）を充電するための充電孔１ｄと、が設けられている。
【００３３】
一対の耳部１ａは、本実施形態では、猫の両耳を模した形態となされている。
【００３４】
支持部１ｂは、輪状に形成され、ケース本体１の底面から下方に突設されている。
【００３５】
照射ボタン１ｃは、背面視で支持部１ｂの内側に設けられ、本実施形態では、猫の掌球を模した形状となされた物理ボタンである。
また、照射ボタン１ｃは、指球を模して、照射ボタン１ｃの周縁に配置された４つの円形状の突起と合わせて、猫の肉球を想起させる外観となされている。
【００３６】
充電孔１ｄは、支持部１ｂの外側近傍に配置されている。
【００３７】
蓋部２は、収容空間Ｓ（図４及び図５（ａ）参照）に収容されたコンタクトレンズＬを、外部から視認可能とする窓部２１を有している。
【００３８】
窓部２１は、蓋部２を貫通する、略円形状に構成された貫通孔であり、図２（ａ）における左右方向に間隔を置いて、一対設けられている。
【００３９】
ここで、蓋部２には、窓部２１の他、蓋部２の略中央に配置された鼻部２ａと、鼻部２ａの下方に配置された口部２ｂと、鼻部２ａの左右に一対配置された髭部２ｃと、が設けられている。
なお、鼻部２ａや口部２ｂ、髭部２ｃは、蓋部２の表面から突出されることにより構成されても良いし、単に蓋部２の表面に描画されることで構成されていても良い。
【００４０】
このように構成することで、特に図２（ａ）に示されるように、コンタクトレンズ用ケースＸを正面から見た際、一対の窓部２１が、動物の顔の目に相当する位置に設けられることとなり、一対の耳部１ａと合わせて、コンタクトレンズ用ケースＸは、猫の顔を模した外観となる。
【００４１】
なお、外観を模する対象となる動物は、必ずしも猫である必要はなく、例えば、犬や熊、猿等であっても良いし、人の顔を対象としても良く、任意に設計変更可能である。
【００４２】
照射部３は、収容空間Ｓに向かって紫外線を発するブラックライトである。
【００４３】
タイマー部４は、カウントダウンタイマーとして構成されており、残り時間を表示する表示モニター４ａと、カウントダウンを開始させるスタートボタン４ｂと、表示されている残り時間を初期表示に戻すリセットボタン４ｃと、により構成されている。
【００４４】
表示モニター４ａは、背面視で支持部１ｂの内側に設けられており、本実施形態では、コンタクトレンズ用ケースＸに２週間使い捨てのコンタクトレンズＬを保管することを想定した表示となされている。
即ち、表示モニター４ａには、１４日の期間が設定され、その初期表示として、残りの日と時間が表示されている。
【００４５】
スタートボタン４ｂ及びリセットボタン４ｃは、それぞれ、各耳部１ａに物理ボタンとして設けられている。
なお、スタートボタン４ｂ及びリセットボタン４ｃは、必ずしも各耳部１ａに設ける必要はなく、照射ボタン１ｃと同様に、支持部１ｂの内側等に設けられていても良い。
【００４６】
ここで、使用者は、スタートボタン４ｂを一度押下することによりカウントダウンを開始させた後、再度押下することにより、カウントダウンを一時停止させることができる。
また、例えば、スタートボタン４ｂとリセットボタン４ｃを同時に押下することで、表示モニター４ａを設定モードに遷移させ、スタートボタン４ｂ又はリセットボタン４ｃの何れかの押下により、設定期間を変更することが可能な構成としても良い。
このように構成することで、使用者は、保管するコンタクトレンズの種類に適した期間を、自由に設定することができる。
【００４７】
ケース本体１の開口端の一部には、ケース本体１と蓋部２とを連結するヒンジ部ｈ１が設けられており、ケース本体１と蓋部２とは、ヒンジ部ｈ１を軸に、相互に回動可能に構成されている。
なお、ヒンジ部ｈ１は、本実施形態では、リビングヒンジとなされているが、これに限られず、例えば、プラスチック製の蝶番等としても良い。また、ケース本体１と蓋部２とは、必ずしもヒンジ部ｈ１により一体形成されている必要はなく、別体に構成し、例えば、それぞれの開口端に雄ねじ及び雌ネジを設けることで、互いに着脱可能としても良い。
【００４８】
また、ケース本体１における、ヒンジ部ｈ１と対向する開口端の一部には、蓋部２によるケース本体１の閉状態を維持するための、係止手段ｈ２が設けられている。
係止手段ｈ２は、全体が可撓性素材により形成されており、ケース本体１の開口端を部分的に切除することにより形成された窪みｒ（図３及び図４参照）に設けられている。
なお、係止手段ｈ２の構成については、図５（ｂ）を用いて後述する。
【００４９】
以下、図３〜図５を用いて、コンタクトレンズ用ケースＸの内部構成等について詳述する。
【００５０】
図３及び図４に示すように、ケース本体１は、コンタクトレンズＬ及びその保存液が収容される収容空間Ｓが設けられた一対の収容部１１と、収容空間Ｓを開閉可能に覆って設けられる一対のキャップ部１２と、収容部１１を着脱可能に固定する一対の着脱手段１３と、を有している。
なお、図４は、図３の拡大分解斜視図であり、蓋部２は省略している。
【００５１】
また、ケース本体１は、収容部１１が載置される一対の基台部１４と、一対の基台部１４が載置され、ケース本体１の内部を上下に区画する仕切台部１５と、をさらに有している。
なお、一対の照射部３及び一対の基台部１４は、仕切台部１５上に固定されている。
【００５２】
一対の収容部１１は、半透明のプラスチック等の素材で形成されることにより全体が透光性を有しており、それぞれ、略円筒状の収容部本体１１ａと、収容部本体１１ａの底部に設けられることで収容空間Ｓの底面を構成する、略円板状の載置部１１ｂと、を含む。
また、各載置部１１ｂは、細長の連結部ｊにより連結されている。
【００５３】
各収容部本体１１ａは、その上部の外径が、下部の外径よりも小径に構成されることで、段付き形状となされている。
【００５４】
各キャップ部１２は、有底円筒状に構成され、半透明のプラスチック等の素材で形成されることにより透光性を有している。
また、各収容部本体１１ａの上段部の外周面には雄ネジ（図示せず）が形成され、各キャップ部１２の内周面には雌ネジ（図示せず）が形成されており、これらを介して、各キャップ部１２を、各収容部本体１１ａに着脱可能に取付けることができる。
【００５５】
なお、各キャップ部１２の構成はこれに限られず、例えば、各キャップ部１２を可撓性素材により形成し、リビングヒンジを介して、各収容部本体１１ａの開口端に連結させておく構成としても良い。
この場合、雄ネジや雌ネジは形成されず、各キャップ部１２を各収容部本体１１ａの開口に被せ、下方に押し込むことで、各キャップ部１２が、各収容部本体１１ａに嵌合させられる。
【００５６】
各着脱手段１３は、弾性素材により形成された、２つの着脱手段構成体１３ａにより構成されている。
また、各着脱手段構成体１３ａは、各基台部１４の上面周縁部から上方に突設され、互いに対向するように配置されている。
なお、着脱手段構成体１３ａの数は２つに限られず、各収容部１１のケース内部での安定性を向上させるために、３つ以上設けても良い。
【００５７】
各着脱手段構成体１３ａは、上方に延びる第一構成部１３ａ１と、第一構成部１３ａ１の上端から、側方に向かって延びる第二構成部１３ａ２と、により構成されることで、逆Ｌ字状となされている。
【００５８】
ここで、各基台部１４に各収容部１１を載置する際、使用者は、各収容部１１を各基台部１４の上面に向かって押し込む。
これにより、各第一構成部１３ａ１は、各載置部１１ｂにより外方に押圧され、その弾性力により、外方に向かってやや湾曲しつつ、各収容部１１を挟持する態様となる。
なお、各第一構成部１３ａ１の高さは、各載置部１１ｂの高さと略同一に構成されている。
【００５９】
そして、使用者は、各収容部１１をさらに下方に押し込むことで、各載置部１１ｂが各第一構成部１３ａ１により挟持されつつ、各載置部１１ｂが各基台部１４に載置される。
また、このとき、各第二構成部１３ａ２が各載置部１１ｂの上面に当接され、各収容部１１は、図３に示す状態となり、各基台部１４上に安定的に載置される。
なお、各収容部１１を各基台部１４に各収容部１１から取り外す際、使用者は、各収容部１１を上方に持ち上げるのみで、各着脱手段構成体１３ａがその弾性力により変形し、容易に取り外すことができる。
【００６０】
各基台部１４は、略円筒状に構成され、その内部に各照射部３が配置されている。
また、各基台部１４は、各照射部３が各基台部１４の上面よりも上方に突出しない程度の高さに構成されている。
【００６１】
図５（ａ）は、図２（ａ）におけるＰＰ´線断面図であり、仕切台部１５の下方に形成され、後述するバッテリーＢ等が格納される格納空間ｗについては省略し、各照射部３については断面図で示していない。。
図５（ｂ）は、図２（ａ）におけるＱＱ´線断面図であり、格納空間ｗに格納されているバッテリーＢ等は断面図で示していない。
【００６２】
図５に示すように、各収容部１１を各着脱手段１３に取付け、蓋部２により、ケース本体１を閉状態とすることで、各照射部３の直上に、各窓部２１が配置される。
また、各コンタクトレンズＬは、載置部１１ｂを介して、照射部３により紫外線が照射される。
【００６３】
また、図５（ａ）に示すように、各窓部２１には、拡大レンズ２１ａがはめ込まれている。
これにより、使用者は、各窓部２１及びキャップ部１２介して、各コンタクトレンズＬを、拡大された状態で視認することができる。
なお、本実施形態では、拡大レンズ２１ａは平凸レンズとなされているが、これに限られず、両凸レンズや凸メニスカスレンズ等であっても良い。
【００６４】
また、図５（ｂ）に示すように、仕切台部１５の下方に形成される格納空間ｗには、バッテリーＢ及び制御部Ｃが格納されている。
【００６５】
バッテリーＢは、上記した充電孔１ｄを介して、充電用の所定のケーブルと接続することで、繰り返しの充電が可能である。
なお、充電端子の規格としては、ＵＳＢ端子やＬｉｇｈｔｎｉｎｇ端子等、種々の規格が採用され得る。また、公知のワイヤレス充電器を用いることで、電磁誘導等による非接触充電（ワイヤレス充電）が可能な構成としても良い。
この他、格納空間ｗに、乾電池やボタン電池等を交換可能に収容する空間を設け、これらの電池により制御部Ｃを駆動させる構成としても良いし、この構成と、充電式のバッテリーＢを用いた構成と、を併用しても良い。
【００６６】
制御部Ｃは、バッテリーＢや各照射部３、タイマー部４と電気的に接続されている。
これにより、制御部Ｃは、照射ボタン１ｃの操作に基づく、各照射部３の照射状態のＯＮ／ＯＦＦの切り替えや、スタートボタン４ｂやリセットボタン４ｃの操作に基づく、表示モニター４ａの表示態様（カウントダウンの実行や設定モードへの遷移）を制御する。
【００６７】
また、図５（ｂ）に示すように、係止手段ｈ２は、窪みｒから上方に突設された係止手段本体ｈ２１と、係止手段本体ｈ２１から側方に突設された係止解除部ｈ２２とにより構成されている。
【００６８】
係止手段本体ｈ２１は、薄板状体であり、その上方に、側方に向かってやや突出した係止突起ｍが設けられている。
係止突起ｍは、蓋部２の開口端であって、窪みｒの直上に設けられた、係止溝ｎに係止されている。
【００６９】
このように構成することで、ヒンジ部ｈ１を軸とした蓋部２の回動動作が制御され、ケース本体１の閉状態が安定的に維持される。
また、使用者は、係止解除部ｈ２２を押圧することで、係止手段本体ｈ２１が湾曲し、係止突起ｍと係止溝ｎの係止状態が解消され、容易にケース本体１を開状態（図３に示す状態）とすることができる。
【００７０】
本実施形態によれば、コンタクトレンズ用ケースＸは、以下のような効果を奏する。
【００７１】
即ち、本実施形態によれば、照射部３が収容空間Ｓに向かって紫外線を発するブラックライトであることにより、コンタクトレンズＬに付着した、通常肉眼では視認できない汚れを可視化することができ、汚れの程度を容易に視認することができる。
【００７２】
また、照射部３が、載置部１１ｂの下方に設けられていることで、簡素な構成で、コンタクトレンズＬ全体に漏れなく紫外線を照射することができ、コンタクトレンズ用ケースＸの利便性が向上する。
【００７３】
また、収容空間Ｓを開閉可能に覆って設けられるキャップ部１２により、コンタクトレンズＬやその保存液が、収容空間Ｓ内部から外部に飛び出してしまうことを防止しつつ、付着した汚れを視認することができる。
【００７４】
また、着脱手段１３により、コンタクトレンズ用ケースＸを持ち運ぶ際等に、収容部１１の位置がずれることがなく、特段収容部１１の位置を調整せずとも、迅速に付着した汚れを視認することができる。
【００７５】
また、窓部２１に拡大レンズ２１ａが設けられていることで、付着した汚れをより明確に視認することができる。
【００７６】
また、タイマー部４により、コンタクトレンズＬを交換するタイミングを一目で把握することができる。
【００７７】
また、窓部２１及び収容部１１が、それぞれ一対設けられていることで、左右のコンタクトレンズＬを同時に保管しておくことができる。
【００７８】
また、蓋部２が、耳部１ａと合わせて、猫の顔を模した外観に構成されていることで、機能面だけでなく、その見た目を契機として、需要者に購買意欲を喚起させることができる。
【００７９】
なお、上述の実施形態において示した各構成部材の諸形状や寸法等は一例であって、設計要求等に基づき種々変更可能である。
【００８０】
例えば、本実施形態では、照射部３を載置部１１ｂの下方に設ける構成としたが、照射部３を、ケース本体１の内側面や蓋部２の内面に設け、側方や斜め上方から、各コンタクトレンズＬに紫外線を照射する構成としても良い。
【００８１】
また、本実施形態では、着脱手段１３として、弾性の着脱手段構成体１３ａを用いた例を示したが、例えば、載置部１１ｂの底面と基台部１４の上面とに、極性の異なる磁石を設けておき、磁着により、載置部１１ｂを基台部１４に取り付ける構成としても良い。
なお、上記のように照射部３を載置部１１ｂの下方に設けない構成とする場合、基台部１４は、必ずしも必要ではない。
【００８２】
また、本実施形態では、照射部３を各収容部１１に合わせて一対設ける構成としたが、例えば、照射部３を細長形状とすることにより、１つの照射部３で、各収容部１１の収容空間Ｓを照射可能な構成としても良い。
【符号の説明】
【００８３】
Ｘ      コンタクトレンズ用ケース
１      ケース本体
１１    収容部
１２    キャップ部
１３    着脱手段
１４    基台部
１５    仕切台部
２      蓋部
２１    窓部
３      照射部
４      タイマー部
Ｂ      バッテリー
Ｃ      制御部
Ｓ      収容空間
Ｌ      コンタクトレンズ
【要約】
【課題】コンタクトレンズに付着した汚れを容易に視認することができ、利便性を向上させたコンタクトレンズ用ケースを提供する。
【解決手段】コンタクトレンズＬを保管するコンタクトレンズ用ケースＸであって、上方に向かって開口するケース本体１と、ケース本体１の開口を開閉可能に覆って設けられる蓋部２と、ケース本体１の内部に光を照射する照射部３と、を備え、ケース本体１は、コンタクトレンズＬを収容する収容空間Ｓが設けられた収容部１１を有し、蓋部２は、収容空間Ｓに収容されたコンタクトレンズＬを、外部から視認可能とする窓部を有し、照射部３は、収容空間Ｓに向かって紫外線を発するブラックライトである。
【選択図】図１【図１】
0006963266.tif 000002
【図２】
0006963266.tif 000003
【図３】
0006963266.tif 000004
【図４】
0006963266.tif 000005
【図５】
0006963266.tif 000006